(57)【要約】      （修正有）【課題】使用者が自分で組立設置し、且つライト板の角度を調整することができる組立式壁型ライトを提供する。【解決手段】基台１０、少なくとも一固定台２０、及び少なくとも一ライト板３０を含む。そのうち、基台の本体上には少なくとも一第一嵌合槽１１を設置する。各ライト板はボード上に少なくとも一発光部品３２を構築し、ボードの少なくとも一側には第一嵌合槽と接合する嵌合部３３を設置する。固定台は、それぞれ基台と接合する嵌込部２１及び地面と安定接地する底部２２を備え、該固定台の嵌込部は少なくとも一ネジ穿孔２３を穿設し、基台は各固定台と接合する位置にそれぞれ少なくとも一ネジ穿孔と合わさるネジ孔１２を複数個環設する。基台上で不定数のライト板を横向きに伸びて配置し、更にその他ネジ孔と固定台上のネジ穿孔の対応箇所を変更し、次にネジをネジ孔に挿設する方式でライト板の角度を調節する。【選択図】図２
0003175183.tif 000002
【実用新案登録請求の範囲】
【請求項１】
組立式壁型ライトにおいて、
その本体上に軸方向に配置した少なくとも第一嵌合槽を設置する基台と、
基台本体に固定設置し、基台と接合する嵌込部及び固定面と安定接地する底部を備える少なくとも一固定台と、
ボード上に少なくとも一発光部品を構築し、該ボードは少なくとも一側に第一嵌合槽と接合する滑動機構を設置する少なくとも一ライト板を含むことを特徴とする組立式壁型ライト。
【請求項２】
前記固定台の嵌込部は、少なくとも一ネジ穿孔を設置し、該基台は固定台と接合する位置にそれぞれ少なくとも一ネジ穿孔と合わさる該ネジ孔を複数個環設し、ネジで該固定台と該基台を結合することを特徴とする請求項１記載の組立式壁型ライト。
【請求項３】
前記組立式壁型ライトは、更に少なくとも一接合台を含み、更に少なくとも二枚のライト板を備え、各ライト板は於該ボードの少なくとも二相対側にそれぞれ該基台の第一嵌合槽と接合する滑動機構を設置し、該接合台はその本体上に複数本の該接合台の軸方向沿って配置し、各ライト板の滑動機構と接合する第二嵌合槽を設置することを特徴とする請求項１記載の組立式壁型ライト。
【請求項４】
前記各第一嵌合槽及び各第二嵌合槽はＴ字型断面の形状で、各ライト板の滑動機構は各第一嵌合槽及び各第二嵌合槽と対応嵌合して接合するＴ字型断面形状であることを特徴とする請求項３記載の組立式壁型ライト。
【請求項５】
前記固定台の嵌込部は、該基台の第一嵌合槽外側の欠切口に設置することを特徴とする請求項２もしくは３記載の組立式壁型ライト。
【請求項６】
前記滑動機構は、滑車もしくは嵌合塊とすることを特徴とする請求項１記載の組立式壁型ライト。
【請求項７】
前記発光部品は、LEDもしくは照明器具とすることを特徴とする請求項１記載の組立式壁型ライト。
【考案の詳細な説明】
【技術分野】
【０００１】
本考案は、照明装置に関するもので、特に使用者が自分で組立設置し、且つライト板の角度を調整することができる組立式壁型ライトに係わる。
【背景技術】
【０００２】
周知の通り、植物の成長に必要な養分の大部分は光合成に依るもので、光が適当か否かに拠って植物の成長に影響する。植物組織は培養の過程に於いて、外からの汚染源を防止するため、半密閉の栽培環境を維持し、その半密閉状態に於いて、光照射が適当か否かは組織培養の品質に深く影響する。
【０００３】
現在、公知の常用される照明システムを設置する場合、ほとんどは植物種植エリアの上方に建設の足場のようなトラス構造を設置し、トラス構造上に不定数の照明器具を設置し、照明器具から発する光源照射を植物の種植エリアに照射する方式で光照射を制御する目的を達成する。
【考案の概要】
【考案が解決しようとする課題】
【０００４】
解決しようとする問題点は、この種の照明光源は一般の光線よりも遮蔽物後方のエリアへの照明効果が制限を受けるため、平面式の種植方式にのみ適用でき、空間利用のムダが発生しやすい。また立体式に対応するには照明器具を植物の側面に変更して設置するが、照明器具を支える構造体本体は照明器具設置のスピーディさ及び安定感が不足する。照明器具を調整は実際使用に適応できないため、照明光源の位置及び角度を簡単に変えられるようにして実用性及び便利性を改善する必要がある点である。
【課題を解決するための手段】
【０００５】
本考案は、基本的に、基台、少なくとも一固定台，及び少なくとも一ライト板を含む。そのうち，基台の本体上には少なくとも一第一嵌合槽を設置する。各ライト板はボード上に少なくとも一発光部品を構築し、ボードの少なくとも一側には第一嵌合槽と接合する嵌合部を設置する。固定台は、それぞれ基台と接合する嵌込部及び地面と安定接地する底部を備え、該固定台の嵌込部は少なくとも一ネジ穿孔を穿設し、基台は各固定台と接合する位置にそれぞれ少なくとも一ネジ穿孔と合わさるネジ孔を複数個環設する。基台上で不定数のライト板を横向きに伸びて配置し、更にその他ネジ孔と固定台上のネジ穿孔の対応箇所を変更し、次にネジをネジ孔に挿設する方式でライト板の角度を簡単に調節することを最も主要な特徴とする。
【考案の効果】
【０００６】
本考案の組立式壁型ライトは、使用者が自分で組み立て設置し、且つライト板の角度を調整することができるという利点がある。
【図面の簡単な説明】
【０００７】
【図１】本考案の第一実施例の組立式壁型ライト外観立体図である。
【図２】本考案の第一実施例の組立式壁型ライト構造分解図である。
【図３】本考案の第二実施例の組立式壁型ライト構造分解図である。
【図４】本考案の第二実施例の組立式壁型ライト外観立体図である。
【図５】本考案の第二実施例の組立式壁型ライト使用状態指示図である。
【考案を実施するための形態】
【０００８】
使用者が自分で組み立て設置し、ライト板の角度を調整できる組立式壁型ライトを提供することを本考案の主な目的とする。
【０００９】
上述の目的を達成するため、本考案の組立式壁型ライトは、基本的に基台、少なくとも一固定台及び少なくとも一ライト板を含む。そのうち、該基台の本体上には、該基台軸方向に伸びた第一嵌合槽を少なくとも一本設置する。該固定台はそれぞれ該基台両端に固定し、各固定台には該基台と接合する嵌込部及び地面と安定接地する底部を備える。該少なくとも一ライト板は、ボード上に少なくとも一発光部品を構築し、該ボードの少なくとも一側には第一嵌合槽と接合する嵌合部を設置し、各固定台の嵌込部には少なくとも一ネジ穿孔を設置し、該基台の各固定台と接合する位置には少なくとも一ネジ穿孔と合わさる該ネジ孔をそれぞれ複数個環設し、ネジで該固定台と該基台を結合する。
【００１０】
本考案の組立式壁型ライトは、以下の効果を備える。
１.簡単な差込方式で、ライト板を基台もしくは接合台上に安定して設置する。
２.実際使用の必要に応じて、基台の横向きに伸びて配置する不定数のライト板を選択する。
３.実際使用の必要に応じて、ライト板の横向位置を調整する。
４.実際使用の必要に応じて、ライト板の角度を調整する。
５.実際使用の必要に応じて、不定数の接合台及びライト板が上向きで伸び複数層のライト板を配置する。
6. 実際使用の必要に応じて、各層ライト板の横向位置及び角度を調整する。
【実施例】
【００１１】
本考案の特徴を、図式で示しながら実施例を挙げて説明する。
【００１２】
図１は、本考案の第一実施例の組立式壁型ライトの外観立体図、図２は、本考案の第一実施例の組立式壁型ライト構造の分解図である。本考案の組立式壁型ライトは、基本的に、基台１０、少なくとも一固定台２０，及び少なくとも一ライト板３０を含む。そのうち、
【００１３】
該基台１０は、長方形のアルミニウム搾り出し構造体であり、本体上には少なくとも一本の該基台１０の軸方向に沿って配置した第一嵌合槽１１を設置する。
【００１４】
該固定台２０は、それぞれ該基台１０両端に固定設置し、各固定台２０は該基台１０と接合する嵌込部２１及び地面に安定して設置する底部２２を備える。実施時、該固定台の嵌込部２１は該基台１０の第一嵌合槽１１外側に欠切口(もしくは切口)を設置するのが良い。
【００１５】
該少なくとも一ライト板３０は、ボード３１上に少なくとも一発光部品３２を構築し、該ボード３１の少なくとも一側には第一嵌合槽１１と接合する嵌合部３３を設置する。
【００１６】
更に、固定台２０の嵌込部２１は少なくとも一ネジ穿孔２３を穿設し、該基台１０の固定台２０と接合する位置には、それぞれ該少なくとも一ネジ穿孔２３と合わさるネジ孔１２を複数個環設し、ネジ５０で該固定台２０と該基台１０を結合する。
【００１７】
原則的に、本考案の組立式壁型ライトを使用する時、該基台１０上で不定数のライト板３０を横向きに伸びて配置し、基台１０を回転して、その他ネジ孔１２と固定台２０上的ネジ穿孔２３の接合箇所を変更し、次にネジ５０を該ネジ孔１２に入れる方式で簡単にライト板２０角度を調整する目的を達成する。
【００１８】
図３及び図４に示すとおり、本考案の組立式壁型ライトは実施時に、更に少なくとも一接合台４０を含み、少なくとも二枚のライト板３０を備える。そのうち各ライト板３０は、該ボード３１の少なくとも二枚が相対する側にそれぞれ該基台１０の第一嵌合槽１１と接合する嵌合部３３を設置し、更に該接合台４０はその本体上に複数本の該接合台４０に沿って軸方向に配置し各ライト板３０の嵌合部３３と接合する第二嵌合槽４１を設置する。
【００１９】
実際使用する場合には必要に応じ、不定数の接合台４０及びライト板３０を上に延長して複数層のライト板３０を配置する。当然、使用の時、使用者はライト板３０を軽く押すだけの方法で、スピーディにライト板３０の横向位置を調整する。更にライト板３０をその他第二嵌合槽４１に挿設する方式を選択し、各層ライト板３０の角度を調整する。
【００２０】
更に、該基台１０の第一嵌合槽１１及び各接合台４０の第二嵌合槽４１はＴ字型断面の形状で、各ライト板３０の嵌合部３３は各第一嵌合槽１１及び各第二嵌合槽４１と対応接合するＴ字型断面形状を形成し、各ライト板３０に基台１０もしくは接合台４０と接合する時、ライト板３０が基台１０もしくは接合台４０の桿体から脱落するのを防止する。
【００２１】
従来の構造と比較して、本考案の組立式壁型ライトは、簡単な差込方式に拠って、ライト板を安定的に基台もしくは接合台上に設置する。更に実際使用の必要に応じて、基台上で不定数のライト板を横向きに伸ばして配置し、ライト板の横向位置及び角度を調整する。特に、不定数の接合台及びライト板を上向きに複数層のライト板を伸ばして配置することで、実際の必要に応じ、各層ライト板の横向位置及び角度を調整する。植物の光照射条件をコントロールするのに適し、直列方式で、育てたい植物を植え、土地空間を有効利用する目的を達成する。
【００２２】
上述のとおり、本考案は実施可能な組立式壁型ライトを提供し、実用新案を申請する。本考案の技術内容及び技術特徴は、上述に示すとおりであるが、当領域に習熟した者が本考案に基づき各種の本考案から乖離しない入れ替え及び修飾を行うかもしれない。拠って、本考案の保護範囲は、実施例に制限されず、各種の本考案から乖離しない入れ替え及び修飾は以下の請求項に含むこととする。
【符号の説明】
【００２３】
１０        基台
１１        第一嵌合槽
１２        ネジ孔
２０        固定台
２１        嵌込部
２２        底部
２３        ネジ穿孔
３０        ライト板
３１        ボード
３２        発光部品
３３        嵌合部
４０        接合台
４１        第二嵌合槽
【図１】
0003175183.tif 000003
【図２】
0003175183.tif 000004
【図３】
0003175183.tif 000005
【図４】
0003175183.tif 000006
【図５】
0003175183.tif 000007